(57)【要約】【課題】メンテナンス性及び利便性を向上できる製氷装置及びそれを備えた冷蔵庫を提供する。【解決手段】製氷用の水を貯水して密閉される給水タンク１１と、給水タンク１１から供給された水を溜めて氷を生成する製氷皿８０と、給水タンク１１から導出される給気部６０と、給気部６０に接続して給水タンク１１に加圧空気を送出する空気ポンプ７０と、給水タンク１１内を下方に延びて空気ポンプ７０から給水タンク１１に流入する加圧空気により押し出された水を製氷皿８０に導く給水部５０とを備えた。【選択図】図３
2009058193.tif 000002
【特許請求の範囲】
【請求項１】
製氷用の水を貯水して密閉される給水タンクと、前記給水タンクから供給された水を溜めて氷を生成する製氷皿と、前記給水タンクから導出される給気部と、前記給気部に接続して前記給水タンクに加圧空気を送出する空気ポンプと、前記給水タンク内を下方に延びて前記空気ポンプから前記給水タンクに流入する加圧空気により押し出された水を前記製氷皿に導く給水部とを備えたことを特徴とする製氷装置。
【請求項２】
大気に開放される圧力調整部を前記給水部に設けたことを特徴とする請求項１に記載の製氷装置。
【請求項３】
前記圧力調整部は外部に臨む通気部を有して前記給水タンクの上方に設けられる圧力調整室から成り、前記給水部は前記圧力調整室から前記給水タンク内及び前記製氷皿の上方にそれぞれ延びる第１、第２給水管を有することを特徴とする請求項請求項２に記載の製氷装置。
【請求項４】
第２給水管を前記圧力調整室の底面から導出したことを特徴とする請求項３に記載の冷蔵庫。
【請求項５】
第１給水管を介して前記圧力調整室に水が流入する流入口を、第２給水管を介して前記圧力調整室から水が流出する流出口よりも上方に配置したことを特徴とする請求項３または請求項４に記載の製氷装置。
【請求項６】
第１給水管から水が前記圧力調整室に流入する流入口に逆止弁を設けたことを特徴とする請求項３または請求項４に記載の製氷装置。
【請求項７】
第１給水管の内径よりも第２給水管の内径を大きくしたことを特徴とする請求項３〜請求項６のいずれかに記載の製氷装置。
【請求項８】
前記圧力調整室内に延びる第１給水管の周囲に前記圧力調整室の上面から垂下した遮蔽板を設け、前記通気部を前記遮蔽板の外側に配置したことを特徴とする請求項３〜請求項７のいずれかに記載の製氷装置。
【請求項９】
前記給気部及び前記給水部を分離可能に形成して分離された一方が他方に対して前記給水タンクと一体に着脱されるとともに、前記給気部及び前記給水部の脱着した端面を同一面内に配置したことを特徴とする請求項１〜請求項８のいずれかに記載の製氷装置。
【請求項１０】
前記給水タンクに供給される空気の経路に空気中の臭いを除去する脱臭手段を設けたことを特徴とする請求項１〜請求項９のいずれかに記載の製氷装置。
【請求項１１】
前記給水タンクに供給される空気の経路に空気中の除菌を行う除菌手段を設けたことを特徴とする請求項１〜請求項１０のいずれかに記載の製氷装置。
【請求項１２】
請求項１〜請求項１１のいずれかに記載の製氷装置を備えたことを特徴とする冷蔵庫。
【請求項１３】
食品を冷却保存する貯蔵室に対して隔離した隔離室内の後部に前記空気ポンプの吸気側を配置したことを特徴とする請求項１２に記載の冷蔵庫。
【発明の詳細な説明】
【技術分野】
【０００１】
本発明は、給水タンクから給水して製氷を行う製氷装置及びそれを備えた冷蔵庫に関する。
【背景技術】
【０００２】
製氷装置を備えた従来の冷蔵庫は特許文献１に開示されている。この冷蔵庫は冷蔵室内に着脱自在の給水タンクが配され、冷蔵室の下方に配された冷凍室内に製氷皿が配される。給水タンクには製氷皿の上方に延びる給水管が導出される。給水管の経路途中には給水ポンプが配される。給水ポンプを駆動すると給水管を介して給水タンクから製氷皿に給水される。これにより、製氷が行われ、生成された氷は製氷皿の下方に配された貯氷容器に貯蔵される。
【０００３】
【特許文献１】特許第２７３５１７０号公報（第４頁−第８頁、第１図）
【発明の開示】
【発明が解決しようとする課題】
【０００４】
しかしながら、上記従来の製氷装置によると、給水ポンプは水の流通によって水垢等の汚れが発生する場合がある。この時、給水ポンプを分解して清掃するのは困難であるため製氷装置のメンテナンス性が悪い問題があった。加えて、給水タンクの水に含まれる不純物等の異物や清涼飲料水等を給水タンクに入れた際の飲料成分から成る異物が給水ポンプ内で堆積する。これにより、給水ポンプが詰まって製氷が停止され、製氷装置の利便性が悪い問題もあった。
【０００５】
本発明は、メンテナンス性及び利便性を向上できる製氷装置及びそれを備えた冷蔵庫を提供することを目的とする。
【課題を解決するための手段】
【０００６】
上記目的を達成するために本発明の製氷装置は、製氷用の水を貯水して密閉される給水タンクと、前記給水タンクから供給された水を溜めて氷を生成する製氷皿と、前記給水タンクから導出される給気部と、前記給気部に接続して前記給水タンクに加圧空気を送出する空気ポンプと、前記給水タンク内を下方に延びて前記空気ポンプから前記給水タンクに流入する加圧空気により押し出された水を前記製氷皿に導く給水部とを備えたことを特徴としている。
【０００７】
この構成によると、空気ポンプを駆動すると加圧空気が給気部を介して密閉された給水タンク内に供給される。給水部は給水タンク内を下方に延びて水に浸漬され、給水タンクの水は加圧空気により給水部に押し出される。給水部を流通する水は製氷皿に溜められ、製氷皿を氷点以下に冷却して氷が生成される。
【０００８】
また本発明は、上記構成の製氷装置において、大気に開放される圧力調整部を前記給水部に設けたことを特徴としている。この構成によると、圧力調整部によって給水部の密閉状態が破壊される。
【０００９】
また本発明は、上記構成の製氷装置において、前記圧力調整部は外部に臨む通気部を有して前記給水タンクの上方に設けられる圧力調整室から成り、前記給水部は前記圧力調整室から前記給水タンク内及び前記製氷皿の上方にそれぞれ延びる第１、第２給水管を有することを特徴としている。
【００１０】
この構成によると、空気ポンプを駆動すると給水タンクから第１給水管を介して圧力調整室に水が流入し、圧力調整室内の水が第２給水管を介して製氷皿に導かれる。圧力調整室は通気部を介して大気圧に維持され、給水部の密閉状態が破壊される。
【００１１】
また本発明は、上記構成の製氷装置において、第２給水管を前記圧力調整室の底面から導出したことを特徴としている。この構成によると、圧力調整室に溜まる水が底面から延びる第２給水管を介して製氷皿に供給される。
【００１２】
また本発明は、上記構成の製氷装置において、第１給水管を介して前記圧力調整室に水が流入する流入口を、第２給水管を介して前記圧力調整室から水が流出する流出口よりも上方に配置したことを特徴としている。この構成によると、空気ポンプの停止時に圧力調整室に溜まった水は第２給水管を介して圧力調整室から流出し、第１給水管を介して給水タンクに戻る水が低減される。
【００１３】
また本発明は、上記構成の製氷装置において、第１給水管から水が前記圧力調整室に流入する流入口に逆止弁を設けたことを特徴としている。この構成によると、空気ポンプの停止時に圧力調整室に溜まった水は第２給水管を介して圧力調整室から流出し、第１給水管をから給水タンクに水が戻ることを防止する。
【００１４】
また本発明は、上記構成の製氷装置において、第１給水管の内径よりも第２給水管の内径を大きくしたことを特徴としている。
【００１５】
また本発明は、上記構成の製氷装置において、前記圧力調整室内に延びる第１給水管の周囲に前記圧力調整室の上面から垂下した遮蔽板を設け、前記通気部を前記遮蔽板の外側に配置したことを特徴としている。この構成によると、第１給水管への異物の流入が遮蔽板により防止される。
【００１６】
また本発明は、上記構成の製氷装置において、前記給気部及び前記給水部を分離可能に形成して分離された一方が他方に対して前記給水タンクと一体に着脱されるとともに、前記給気部及び前記給水部の脱着した端面を同一面内に配置したことを特徴としている。
【００１７】
この構成によると、給気部及び給水部が例えば前後に分離すると、給水タンクが前部の給気部及び給水部とともに前方に引き出して脱着される。この時、脱着された前部の給気部及び給水部の後端面は同一垂直面内に配される。また、給気部及び給水部が例えば上下に分離すると、給水タンクが上部の給気部及び給水部とともに持ち上げて脱着される。この時、脱着された上部の給気部及び給水部の下端面は同一水平面内に配される。
【００１８】
また本発明は、上記構成の製氷装置において、前記給水タンクに供給される空気の経路に空気中の臭いを除去する臭い除去フィルターを設けたことを特徴としている。この構成によると、活性炭フィルター等の脱臭手段を通過して臭いを除去された空気が給水タンクに供給される。
【００１９】
また本発明は、上記構成の製氷装置において、前記給水タンクに供給される空気の経路に空気中の除菌を行う除菌手段を設けたことを特徴としている。この構成によると、イオン発生装置等の除菌手段を通過して除菌された空気が給水タンクに供給される。
【００２０】
また本発明の冷蔵庫は、上記各構成の製氷装置を備えたことを特徴としている。
【００２１】
また本発明は、上記構成の冷蔵庫において、食品を冷却保存する貯蔵室に対して隔離した隔離室内の後部に前記空気ポンプの吸気側を配置したことを特徴としている。この構成によると、貯蔵室を流通する冷気に対して空気ポンプの吸気側が離れて配置される。
【発明の効果】
【００２２】
本発明によると、密閉された給水タンクに空気ポンプにより加圧空気を送出して押し出された水を製氷皿に供給するので、空気ポンプには水垢等の汚れが発生せず、不純物等の異物の堆積が生じない。このため、空気ポンプをメンテナンスフリーにできるとともにポンプ詰まりによる製氷の停止を防止することができる。従って、製氷装置及び冷蔵庫のメンテナンス性及び利便性を向上することができる。
【００２３】
また本発明によると、大気に開放される圧力調整部を給水部に設けたので、給水部の密閉状態が破壊される。これにより、空気ポンプの停止後サイフォン現象による給水タンクからの給水を停止し、製氷皿の溢水を防止することができる。
【００２４】
また本発明によると、圧力調整部が通気部を有した圧力調整室から成り、給水部が圧力調整室から延びる第１、第２給水管を有するので、給水部に設けた大気に開放される圧力調整部を容易に実現することができる。また、圧力調整室内に水を溜めることができるため圧力調整室からの溢水を防止することができる。
【００２５】
また本発明によると、第２給水管を圧力調整室の底面から導出したので、空気ポンプを停止した際に圧力調整室に溜まった水を容易に製氷皿に供給することができる。従って、製氷皿の水量のばらつきを低減することができる。
【００２６】
また本発明によると、圧力調整室の流入口を流出口よりも上方に配置したので、空気ポンプを停止した際に圧力調整室に溜まった水を容易に製氷皿に供給し、給水タンクに戻る水を低減することができる。従って、製氷皿の水量のばらつきを低減することができる。
【００２７】
また本発明によると、圧力調整室の流入口に逆止弁を設けたので、空気ポンプを停止した際に圧力調整室に溜まった水を容易に製氷皿に供給し、給水タンクへの水の戻りを防止することができる。従って、製氷皿の水量のばらつきを低減することができる。
【００２８】
また本発明によると、第１給水管の内径よりも第２給水管の内径を大きくしたので、空気ポンプを停止した際に圧力調整室に溜まった水を容易に製氷皿に供給し、給水タンクに戻る水を低減することができる。従って、製氷皿の水量のばらつきを低減することができる。また、
【００２９】
また本発明によると、圧力調整室内に延びる第１給水管の周囲に設けた遮蔽板の外側に通気部を配置したので、第１給水管への異物の流入が遮蔽板により防止される。従って、第１給水管の詰まりによる製氷停止を防止することができる。特に、第１給水管の内径が小さい場合により大きな効果を奏する。
【００３０】
また本発明によると、分離可能な給気部及び給水部の給水タンクと一体に脱着した端面を同一面内に配置したので、給気部及び給水部を簡単に接続することができる。従って、給水タンクを容易に装着することができる。
【００３１】
また本発明によると、給水タンクの空気の経路に脱臭手段を設けたので、美味しい氷を提供することができる。
【００３２】
また本発明によると、給水タンクの空気の経路に除菌手段を設けたので、給水タンク内の雑菌を低減し、衛生的で美味しい氷を提供することができる。
【００３３】
また本発明によると、貯蔵室に対して隔離した隔離室内の後部に空気ポンプの吸気側を配置したので、貯蔵室を流通する冷気に対して空気ポンプの吸気側が離れ、貯蔵物から氷への臭い移りを防止することができる。
【発明を実施するための最良の形態】
【００３４】
以下に本発明の実施形態を図面を参照して説明する。図１、図２は第１実施形態の冷蔵庫を示す正面図及び側面断面図である。冷蔵庫１は上部に貯蔵物を冷蔵保存する冷蔵室２が配される。冷蔵室２の下方には貯蔵物を冷凍保存する冷凍室３が断熱壁８を介して配される。冷凍室３の下方には冷蔵室２よりも庫内温度が高く野菜等を冷蔵保存する野菜室４が断熱壁９を介して配される。
【００３５】
冷蔵室２内には隔離壁２ａにより隔離された隔離室５が設けられる。冷凍室３内には隔離壁３ａにより隔離された製氷室６が設けられる。隔離室５及び製氷室６内には給水タンク１１や製氷皿８０を有して製氷を行う製氷装置１０が設けられる。給水タンク１１は製氷用の水を貯水する。製氷皿８０は給水タンク１１から供給された水を溜めて氷を生成する。また、製氷皿８０の下方には氷を貯氷する貯氷容器７が配されている。
【００３６】
図３は製氷装置１０の詳細を示す側面図である。また、図４、図５は給水タンク１１の背面図及び概略正面断面図を示している。給水タンク１１は容器部１２と蓋部２０とを有している。容器部１２の開口部周縁には水平に延びる鍔部１２ａが設けられる。鍔部１１ａ上にはＯリング２３が固着される。蓋部２０の内面にはＯリング２３に対応する溝部２２が形成される。
【００３７】
蓋部２０の側面には回動自在の回動板２７が取り付けられる。容器部１２の側面には突起部１２ｂが突設される。蓋部２０を鍔部１２ａに被嵌して回動板２７を突起部１２ｂに係止すると、Ｏリング２３が溝部２２に嵌合して収縮する。これにより、容器部１２の開口部が密閉状態で蓋部２０により塞がれる。
【００３８】
蓋部２０の略中央部には給水タンク１１に給水を行うための給水口２４が設けられる。給水口２４の上面側の周縁には環状のパッキン２５が固着されている。給水口２４の内周面には雌ねじが形成され、雄ねじを有する給水口用蓋２６が給水口２４に螺設される。これにより、給水口２４が密閉状態で給水口用蓋２６により塞がれる。
【００３９】
給水タンク１１の後方には空気ポンプ７０が配される。空気ポンプ７０は吸込経路７１から空気を取り入れ、給気部６０を介して加圧空気を給水タンク１１内に送出する。空気ポンプ７０として逆流を防止する逆止弁を設けたポンプが望ましい。給気部６０は接離可能な固定管６２及び連結管６１から成る。固定管６２は隔離室５内に固定され、空気ポンプ７０から下方に延びて前方に屈曲する。
【００４０】
連結管６１は蓋部２０と一体成形され、給水タンク１１とともに固定管６２に対して脱着可能になっている。また、連結管６１は蓋部２０の背面から水平に導出され、垂直方向に屈曲して更に水平に屈曲した鉤状に形成される。連結管６１の開放端によって給水タンク１１に加圧空気が吐出される吐出口６５が形成される。
【００４１】
また、給気部６０には針状のリーク孔（不図示）が形成される。リーク孔は例えば、給気部６０から分岐した内径０．３ｍｍ、長さ５０ｍｍの注射針状に形成される。これにより、空気ポンプ７０の停止時に気圧の高くなった給水タンク１１内の空気がリーク孔を介して徐々にリークされ、給水タンク１１が大気圧に維持される。
【００４２】
空気ポンプ７０の吸気側の吸込経路７１には脱臭部７２及び除菌部７３が直列に設けられる。脱臭部７２は活性炭フィルターから成り、空気ポンプ７０に取り込まれる空気を脱臭する。脱臭部７２をイオン交換繊維フィルターや低温脱臭触媒フィルター等にしてもよい。
【００４３】
除菌部７３は紫外線ＬＥＤから成り、空気ポンプ７０に取り込まれる空気を除菌する。除菌部７３をプラズマクラスタ除菌イオン発生装置、抗菌フィルターまたはオゾン発生装置等にしてもよい。脱臭部７２と除菌部７３とを並列に配置し、流路を交互に切り替えて空気ポンプ７０に空気を供給してもよい。
【００４４】
空気ポンプ７０により密閉状態の給水タンク１１に加圧空気が送出されると給水タンク１１内の水は給水部５０を介して製氷皿８０に供給される。給水部５０は圧力調整室４０（圧力調整部）及び第１、第２給水管３０、５５から成っている。
【００４５】
圧力調整室４０は蓋部２０の後部の上方に蓋部２０と一体に設けられる。圧力調整室４０の上面は上蓋４１により開閉自在になっている。これにより、圧力調整室４０内を容易に清掃することができる。上蓋４１には通気孔４２（通気部）が形成され、給水部５０が大気に開放される。
【００４６】
第１給水管３０は圧力調整室４０から蓋部２０を貫通して下方に延び、給水タンク１１内の水に浸漬されるように下端が容器部１２の底面近傍に配される。図６は圧力調整室４０の概略図を示している。第１給水管３０の上部は圧力調整室４０内に突出し、圧力調整室４０の底面よりも上方に水が流入する流入口３１が形成される。
【００４７】
第２給水管５５は第１給水管３０よりも内径が大きく、前後に接離可能な固定管５２及び連結管５１から成る。固定管５２は断熱壁８を貫通して略垂直に固定され、下端が製氷皿８０の上方に配されるとともに上端が屈曲して水平に延びる。連結管５１は蓋部２０と一体成形され、給水タンク１１とともに固定管５２に対して脱着可能になっている。また、連結管５１は圧力調整室４０の底面から垂下され、屈曲して水平に延びる。これにより、圧力調整室４０の底面に水が流出する流出口４３が形成される。
【００４８】
図７は給水タンク１１の脱着状態を示す上面図である。給水タンク１１を矢印Ｐに示すように引くと、給気部６０及び給水部５０の固定管６２、５２から連結管６１、５１が脱離する。これにより、給水タンク１１が隔離室５内から脱着される。また、図８に示すように脱着された給水タンク１１は矢印Ｑの方向に挿入される。
【００４９】
この時、給気部６０の連結管６１と第２給水管５５の連結管５１とは後端面が同一の垂直面Ｃ（図７参照）内に配される。また、連結管６１及び連結管５１の後部は同一水平面内で近接して水平に延びる。これにより、給気部６０及び給水部５０の固定管６２、５２にそれぞれ連結管６１、５１を容易に連結することができる。従って、給水タンク１１の装着を容易に行うことができる。
【００５０】
上記構成の冷蔵庫１において、隔離室５から脱着された給水タンク１１は給水口２４を介して市水等が貯溜され、給水口用蓋２６を螺合して給水タンク１１が密閉される。給気部６０及び給水部５０の連結部６１、５１をそれぞれ固定部６２、５２に連結して給水タンク１１が隔離室５内に装着される。
【００５１】
製氷皿８０内が空の状態になると空気ポンプ７０が駆動される。隔離室５内の空気は吸込経路７１に流入し、脱臭部７２により脱臭されるとともに除菌部７３により除菌される。脱臭及び除菌された空気は空気ポンプ７０を通って加圧空気となり、給気部６０を介して吐出口６５から密閉された給水タンク１１内に送出される。
【００５２】
給水タンク１１内の水Ｗは加圧空気の供給によって矢印Ａに示すように押圧され、矢印Ｂに示すように給水部５０の第１給水管３０に押し出されて上昇する。第１給水管３０を上昇する水は流入口３１を介して圧力調整室４０に流入する。圧力調整室４０に流入した水は流出口４３を介して給水部５０を流通し、製氷皿８０に給水される。
【００５３】
空気ポンプ７０を所定時間駆動して停止すると給水タンク１１内の空気圧によって第１給水管３０から継続して水が押し出され、製氷皿８０への給水が継続される。また、給気部６０のリーク孔を介して給水タンク１１内の空気が徐々にリークされる。給水タンク１１内が大気圧になると、第１給水管３０の上部に残留する水が徐々に給水タンク１１内に戻る。また、圧力調整室４０内に溜まった水は流出口４３から給水部５０を介して製氷皿８０に給水される。
【００５４】
氷点以下の製氷室４内で製氷皿８０内の水が凍り、氷が生成される。製氷皿８０の給水後所定時間が経過すると、離氷装置（不図示）によって製氷皿８０内の氷が脱落する。これにより、貯氷容器７内に貯氷される。そして、空気ポンプ７０の駆動によって製氷皿８０の給水が行われて同様の動作が繰り返される。
【００５５】
本実施形態によると、密閉された給水タンク１１に空気ポンプ７０により加圧空気を送出して押し出された水を製氷皿８０に供給するので、空気ポンプ７０には水垢等の汚れが発生せず、不純物等の異物の堆積が生じない。このため、空気ポンプ７０をメンテナンスフリーにできるとともにポンプ詰まりによる製氷の停止を防止することができる。従って、製氷装置１０及び冷蔵庫１のメンテナンス性及び利便性を向上することができる。
【００５６】
また、圧力調整室４０は通気孔４２（通気部）によって大気圧に維持されるため、給水部５０の密閉状態が破壊される。これにより、空気ポンプ７０の停止後サイフォン現象による給水タンク１１からの給水を容易に停止することができる。従って、製氷皿８０の溢水を防止することができる。また、圧力調整室４０内に水を溜めることができるため圧力調整室４０からの溢水を防止することができる。隙間を有して上蓋４１が閉じられるように圧力調整室４０を形成して外気に臨む通気部を形成してもよい。
【００５７】
尚、給水タンク１１の水面よりも製氷皿８０が上方に配される場合のように、給水タンク１１と製氷皿８０との位置関係がサイフォン現象を生じない場合は給水部５０を大気に開放しなくてもよい。また、サイフォン現象を防止するためには給水部５０が大気に開放されていればよく、他の構成であってもよい。例えば、連結された第１、第２給水管３０、５５の一部から分岐して上方に延びる開放端を有した通路を設けてもよい。これにより、給水部５０が大気に開放され、密閉状態が破壊される。
【００５８】
また、第２給水管５５を圧力調整室４０の底面から導出したので、空気ポンプ７０を停止した際に圧力調整室４０に溜まった水を容易に製氷皿８０に供給することができる。従って、製氷皿８０の水量のばらつきを低減することができる。
【００５９】
また、図９に示すように、圧力調整室４０の底面に流入口３１を形成してもよい。しかし、本実施形態のように圧力調整室４０の流入口３１を流出口４３よりも上方に配置するとより望ましい。即ち、空気ポンプ７０を停止した際に圧力調整室４０に溜まった水を容易に製氷皿８０に供給し、給水タンク１１に戻る水を低減することができる。従って、製氷皿８０の水量のばらつきを低減することができる。
【００６０】
また、第１給水管３０よりも第２給水管５５の内径が大きいので、流入口３１よりも上方まで圧力調整室４０に水が溜まっても給水タンク１１に戻る水を低減できる。第１給水管３０と第２給水管５５の内径の比は例えば、１：１．５にすればよい。また、図１０に示すように、流入口３１に逆止弁４５を設けても同様に給水タンク１１に水が戻ることを防止できる。
【００６１】
尚、図１１に示すように、圧力調整室４０内に延びる第１給水管３０の周囲に圧力調整室４０の上面から遮蔽板４６を垂下し、遮蔽板４６の外側に通気部を配置してもよい。これにより、第１給水管３０への異物の流入が遮蔽板４６により防止される。従って、第１給水管３０の詰まりによる製氷停止を防止することができる。特に、第１給水管３０の内径が小さい場合により大きな効果を奏する。
【００６２】
また、給水タンク１１の空気の経路に脱臭部７２（脱臭手段）を設けたので、冷蔵室２の貯蔵物の臭いを除去した空気が給水タンク１１に送出され、美味しい氷を提供することができる。
【００６３】
尚、空気ポンプ７０の吸気側は隔離壁２ａで隔離された隔離室５の後部の奥に配される。このため、冷蔵室２を流通する冷気に対して空気ポンプ７０の吸気側が離れて配置される。これにより、冷蔵室２を流通する冷気が空気ポンプ７０に流入しにくく、貯蔵物から氷への臭い移りを更に防止することができる。
【００６４】
また、給水タンク１１の空気の経路に除菌部７２（除菌手段）を設けたので、給水タンク１１内の雑菌を低減し、衛生的で美味しい氷を提供することができる。
【００６５】
また、圧力調整室４０、第１給水管３０及び連結部５１、６１を蓋部２０と一体成形しているので給水装置を一体に容易に取扱うことができる。これにより、給水タンク１１内を容易に清掃することができる。
【００６６】
次に、図１２、図１３、図１４は第２実施形態の冷蔵庫１の製氷装置１０を示す側面断面図、上面図及び背面図である。説明の便宜上、前述の図１〜図１１に示す第１実施形態と同様の部分は同一の符号を付している。本実施形態は第１実施形態に対して給気部６０及び給水部５０の構成が異なっている。また、給水タンク１１は隔離室５内に設けた凹部５ａに上方から挿入して装着されている。その他の部分は第１実施形態と同様である。
【００６７】
本実施形態の給気部６０は接離可能な固定管６４及び連結管６３から成る。固定管６４は隔離室５内に固定され、空気ポンプ７０から下方に延びて前方に屈曲して更に上方に屈曲する。連結管６３は蓋部２０の背面から水平に導出され、垂直方向に屈曲したＬ字型に形成される。
【００６８】
給水部５０の第２給水管５５は上下に接離可能な固定管５４及び連結管５３から成る。固定管５４は断熱壁８を貫通して略垂直に固定される。連結管５３は圧力調整室４０の底面から垂下される。
【００６９】
図１４は給水タンク１１の脱着状態を示している。給水タンク１１を矢印Ｓに示すように上方に引くと、給気部６０及び給水部５０の固定管６４、５４から連結管６３、５３が脱離する。これにより、給水タンク１１が隔離室５内から脱着される。また、図１５に示すように脱着された給水タンク１１は矢印Ｓの方向に挿入される。
【００７０】
この時、給気部６０の連結管６３と第２給水管５５の連結管５３とは下端面が同一の水平面Ｄ（図１４参照）内に配される。また、連結管６３及び連結管５３の下部は同一垂直面内で近接して垂直に延びる。これにより、給気部６０及び給水部５０の固定管６４、５４にそれぞれ連結管６３、５３を容易に連結することができる。従って、給水タンク１１の装着を容易に行うことができる。
【００７１】
本実施形態によると、第１実施形態と同様の効果を得ることができる。
【産業上の利用可能性】
【００７２】
本発明によると、給水タンクから給水して製氷を行う製氷装置及びそれを備えた冷蔵庫に利用することができる。
【図面の簡単な説明】
【００７３】
【図１】本発明の第１実施形態の冷蔵庫を示す正面図
【図２】本発明の第１実施形態の冷蔵庫を示す側面断面図
【図３】本発明の第１実施形態の冷蔵庫の製氷装置を示す側面図
【図４】本発明の第１実施形態の冷蔵庫の製氷装置の給水タンクを示す背面図
【図５】本発明の第１実施形態の冷蔵庫の製氷装置の給水タンクを示す概略正面断面図
【図６】本発明の第１実施形態の冷蔵庫の製氷装置の圧力調整室を示す概略図
【図７】本発明の第１実施形態の冷蔵庫の製氷装置の給水タンクの脱着状態を示す上面図
【図８】本発明の第１実施形態の冷蔵庫の製氷装置の給水タンクの装着状態を示す上面図
【図９】本発明の第１実施形態の冷蔵庫の製氷装置の他の圧力調整室を示す概略図
【図１０】本発明の第１実施形態の冷蔵庫の製氷装置の他の圧力調整室を示す概略図
【図１１】本発明の第１実施形態の冷蔵庫の製氷装置の他の圧力調整室を示す概略図
【図１２】本発明の第２実施形態の冷蔵庫の製氷装置を示す側面図
【図１３】本発明の第２実施形態の冷蔵庫の製氷装置を示す上面図
【図１４】本発明の第２実施形態の冷蔵庫の製氷装置の給水タンクの脱着状態を示す背面図
【図１５】本発明の第２実施形態の冷蔵庫の製氷装置の給水タンクの装着状態を示す背面図
【符号の説明】
【００７４】
１    冷蔵庫
２    冷蔵室
３    冷凍室
４    野菜室
５    隔離室
６    製氷室
７    貯氷容器
８、９  断熱壁
１０    製氷装置
１１    給水タンク
１２    容器部
２０    蓋部
３０    第１給水管
３１    流入口
４０    圧力調整室
４２    通気孔
４３    流出口
５０    給水部
５１、５３  連結管
５２、５４  固定管
５５    第２給水管
６０    給気部
６１    連結管
６２    固定管
７０    空気ポンプ
７１    吸込経路
７２    脱臭部
７３    除菌部
８０    製氷皿
【図１】
2009058193.tif 000003
【図２】
2009058193.tif 000004
【図３】
2009058193.tif 000005
【図４】
2009058193.tif 000006
【図５】
2009058193.tif 000007
【図６】
2009058193.tif 000008
【図７】
2009058193.tif 000009
【図８】
2009058193.tif 000010
【図９】
2009058193.tif 000011
【図１０】
2009058193.tif 000012
【図１１】
2009058193.tif 000013
【図１２】
2009058193.tif 000014
【図１３】
2009058193.tif 000015
【図１４】
2009058193.tif 000016
【図１５】
2009058193.tif 000017